(57)【要約】  さまざまな例示実施形態は、方法、デバイス、およびユーザデバイスによって実行されるインストラクションが符号化された非一時的機械可読記憶媒体に関し、前記媒体は、薬剤分配器を動作させる患者と通信セッションを確立させるために入力されるリクエストの指示情報を表示させるためのインストラクションと、入力されるリクエストを承認するユーザデバイスの医師ユーザに基づいて薬剤分配器を介して患者と双方向通信セッションを確立するためのインストラクションと、双方向通信セッション中にディスペンスユーザインターフェース（ＵＩ）エレメントを表示するためのインストラクションと、医師ユーザからディスペンスＵＩエレメントの選択を受信するためのインストラクションと、選択に基づいて、薬剤分配器が患者に薬剤を分配するためのコマンドを送信するためのインストラクションを含む。
2018504951.tif 000002
【特許請求の範囲】
【請求項１】
ユーザデバイスによって実行されるインストラクションが符号化された非一時的機械読み取り可能記憶媒体であって、前記非一時的機械読み取り可能記憶媒体は、
薬剤分配器を操作する患者との通信セッションを確立するために入力されるリクエストの指示情報を表示するためのインストラクションと、
前記入力されるリクエストを承認する前記ユーザデバイスの医師ユーザに基づいて前記薬剤分配器を介して前記患者と双方向通信セッションを確立するためのインストラクションと、
前記双方向通信セッションの間にディスペンスユーザインターフェース（ＵＩ）エレメントを表示するためのインストラクションと、
前記医師ユーザからディスペンスＵＩエレメントの選択を受信するためのインストラクションと、
前記選択に基づいて、前記薬剤分配器が前記患者に薬剤を分配するためのコマンドを送信するためのインストラクションを含む非一時的機械読み取り可能記憶媒体。
【請求項２】
請求項１に記載の非一時的機械読み取り可能記憶媒体において、
入手可能な薬剤を記載する薬剤データを前記薬剤分配器を介して検索するためのインストラクションと、
前記ディスペンスＵＩエレメントで薬剤データの指示情報を表示するためのインストラクションをさらに含む非一時的機械読み取り可能記憶媒体。
【請求項３】
請求項２に記載の非一時的機械読み取り可能記憶媒体において、前記薬剤データは前記薬剤の有効期限を含む非一時的機械読み取り可能記憶媒体。
【請求項４】
請求項１に記載の非一時的機械読み取り可能記憶媒体において、
前記双方向通信セッションの間に第２のディスペンスＵＩエレメントを表示するためのインストラクションと、
前記医師ユーザから前記第２のディスペンスＵＩエレメントの選択を受信するためのインストラクションと、
前記第２のディスペンスＵＩエレメントの選択に基づいて、前記薬剤分配器が第２の薬剤を前記患者に分配するためのコマンドを送信するインストラクションをさらに含む非一時的機械読み取り可能記憶媒体。
【請求項５】
請求項１に記載の非一時的機械読み取り可能記憶媒体において、
前記薬剤を前記患者に分配するために入手可能か否かを示す薬剤情報を受信するためのインストラクションをさらに含み、
ディスペンスユーザインターフェース（ＵＩ）エレメントを表示するための前記インストラクションは、前記薬剤情報が前記患者に分配するための前記薬剤が入手不可能であることを示す場合に、選択できないとして前記ディスペンスＵＩエレメントを表示するためのインストラクションを含み、
前記医師ユーザから前記ディスペンスＵＩエレメントの選択を受信するためのインストラクションは、前記薬剤が前記患者に分配するために入手可能であることを示す前記薬剤情報に基づいて実行されるように構成される非一時的機械読み取り可能記憶媒体。
【請求項６】
請求項１に記載の非一時的機械読み取り可能記憶媒体において、
前記薬剤分配器から前記双方向通信セッションを介して、ビデオデータのストリームを受信するためのインストラクションと、
前記ビデオデータのストリームに基づいてビデオを前記医師ユーザに表示するためのインストラクションをさらに含む非一時的機械読み取り可能記憶媒体。
【請求項７】
請求項１に記載の非一時的機械読み取り可能記憶媒体において、
前記医師ユーザから入力されるメッセージを受信するためのインストラクションと、
前記薬剤分配器が入力されたメッセージを前記患者に表示するためのコマンドを送信するためのインストラクションをさらに含む非一時的機械読み取り可能記憶媒体。
【請求項８】
ユーザデバイスによって実行される方法であって、前記方法は、
前記ユーザデバイスの医師ユーザと患者との間に遠隔の薬剤分配器を介して双方向通信セッションを確立する工程と、
前記薬剤分配器に関する薬剤を記載する情報を受信する工程と、
前記医師ユーザが選択するために前記薬剤を示すディスペンスユーザインターフェース（ＵＩ）エレメントを表示する工程と、
ディスペンスＵＩエレメントの選択に基づいて、前記遠隔の薬剤分配器が前記薬剤を前記患者に分配するためのコマンドを送信する工程を含む方法。
【請求項９】
請求項８に記載の方法において、
前記受信された薬剤情報には有効期限が含まれ、前記方法は前記ディスペンスＵＩエレメントによって前記有効期限を表示する工程を含む方法。
【請求項１０】
請求項８に記載の方法において、前記受信された情報は追加的に前記薬剤分配器に関する第２の薬剤を記載し、
前記薬剤分配器に関する前記第２の薬剤を示す第２のディスペンスＵＩエレメントを表示する工程と、
前記第２のディスペンスＵＩエレメントの選択に基づいて、前記遠隔の薬剤分配器が前記第２の薬剤を前記患者に分配するためのコマンドを送信する工程をさらに含む方法。
【請求項１１】
請求項８に記載の方法において、
前記受信された情報は前記遠隔の薬剤分配器から分配するための前記薬剤が入手可能か否かを示し、
前記薬剤を分配することができないことを示す受信された情報に基づいて、前記薬剤を分配できないことを示す情報を表示する工程と、
前記薬剤を分配することができないことを示す受信された情報に基づいて、前記ディスペンスＵＩエレメントの選択を不可能にする工程を含む方法。
【請求項１２】
請求項８に記載の方法において、
前記遠隔の薬剤分配器からビデオデータのストリームを受信する工程と、
前記ビデオデータのストリームに基づいてビデオを前記医師ユーザに表示する工程をさらに含む方法。
【請求項１３】
請求項８に記載の方法において、
前記医師ユーザが入力するメッセージを受信する工程と、
前記遠隔の薬剤分配器が入力された前記メッセージを前記患者に表示するためのコマンドを送信する工程をさらに含む方法。
【請求項１４】
医師ユーザによって使用されるポータブル通信デバイスであって、前記ポータブル通信デバイスは、
通信インターフェースと、
表示デバイスと、
タッチ入力デバイスと、
メモリと、
前記メモリと通信するプロセッサを含み、前記プロセッサは、
薬剤分配器を動作させる患者と通信セッションを確立させるために、前記表示デバイスを介して、入力されるリクエストの指示情報を表示し、
前記入力されるリクエストを承認する医師ユーザのユーザデバイスに基づいて、前記通信インターフェースおよび前記薬剤分配器を介して、双方向通信セッションを前記患者と確立し、
前記双方向通信セッションの間に、前記表示デバイスを介して、ディスペンスユーザインターフェース（ＵＩ）エレメントを表示し、
前記タッチ入力デバイスを介して、前記医師ユーザのディスペンスＵＩエレメントの選択を受信し、
前記通信インターフェースを介して、前記選択に基づいて、前記薬剤分配器が薬剤を前記患者に分配するためのコマンドを送信するように構成されるポータブル通信デバイス。
【請求項１５】
請求項１４に記載のポータブル通信デバイスにおいて、前記プロセッサは、
入手可能な薬剤が記載された薬剤データを前記薬剤分配器から受信し、前記表示デバイスを介して、ディスペンスＵＩエレメントで薬剤データの指示情報を表示するようにさらに構成されるポータブル通信デバイス。
【請求項１６】
請求項１５に記載のポータブル通信デバイスにおいて、
前記薬剤データは前記薬剤の有効期限を含むポータブル通信デバイス。
【請求項１７】
請求項１４に記載のポータブル通信デバイスにおいて、プロセッサ１ｓが、
前記双方向通信セッションの間に、前記表示デバイスを介して、第２のディスペンスＵＩエレメントを表示し、
前記タッチ入力デバイスを介して、前記第２のディスペンスＵＩエレメントの選択を前記医師ユーザから受信し、
前記通信インターフェースを介して前記第２のディスペンスＵＩエレメントの選択に基づいて、前記薬剤分配器が第２の薬剤を前記患者に分配するためのコマンドを送信するようにさらに構成されるポータブル通信デバイス。
【請求項１８】
請求項１４に記載のポータブル通信デバイスにおいて、
プロセッサ１ｓは前記患者に分配するための前記薬剤が入手可能か否かを示す薬剤情報を受信するようにさらに構成され、
ディスペンスユーザインターフェース（ＵＩ）エレメントの表示中に、前記プロセッサは、前記薬剤情報が前記患者に分配するための前記薬剤が入手できないことを示す場合には、ディスペンスＵＩエレメントを選択できないように表示するように構成され、
前記プロセッサは、前記患者に分配するための前記薬剤が入手可能であることを示す前記薬剤情報に基づいて、前記医師ユーザからの前記ディスペンスＵＩエレメントの選択を受容するように構成されるポータブル通信デバイス。
【請求項１９】
請求項１４に記載のポータブル通信デバイスにおいて、
前記プロセッサは、
前記双方向通信セッションを介して、ビデオデータのストリームを前記薬剤分配器から受信し、
ビデオデータのストリームに基づいて、前記表示デバイスを介して、ビデオを前記医師ユーザに表示するようにさらに構成されるポータブル通信デバイス。
【請求項２０】
請求項１４に記載のポータブル通信デバイスにおいて、
前記プロセッサは、
前記医師ユーザが入力したメッセージを受信し、
前記薬剤分配器が前記入力されたメッセージを前記患者に表示するためのコマンドを送信するようにさらに構成されるポータブル通信デバイス。
【発明の詳細な説明】
【技術分野】
【０００１】
関連出願の相互参照
本出願は、２０１２年１２月３日に提出された米国仮特許出願第６１／７３２、７５３号の優先権を主張する２０１３年１２月３日に提出されたＰＣＴ出願であるＰＣＴ／ＵＳ２０１３／０７２８７８号の一部継続出願である、現在、米国特許第８，９２２，３６７号となっている、２０１４年５月２０日に提出された米国特許出願１４／２８２，８８４号の一部継続出願である２０１４年１２月１８日に提出された米国特許出願１４／５７５，４７７号の優先権を主張し、その全体の開示内容が参照によって全ての目的のために本明細書に組み入れられる。
【０００２】
本明細書に記載されているさまざまな例示実施形態は、通常、薬剤の格納、分配、および管理に関する。
【背景技術】
【０００３】
ある人々は、迅速な薬剤の投与が最も重要である緊急事態が発生し得る病状に苦しんでいる。例えば、特定の物質にさらされるとアレルギーを発症する人々は、アナフィラキシーが生じ得る。その急激な発症とそれに続くアレルギー重症度による死の可能性のために、できるだけ早いエピネフリン自己注射等の治療を行うことが重要である。既知のアレルギーを持つ患者は、共通して突然のアナフィラキシーを治療するためにエピネフリン自己注射器が処方されており、そのプランによって緊急事態にいつでも対応するように患者は自己注射器を絶えず携帯する。同様に、迅速な処置が必要な緊急事態が発生し得る他の病状を有する患者は、身に携帯する適切な薬またはデバイスが処方され得る。
【発明の概要】
【発明が解決しようとする課題】
【０００４】
エピネフリン自己注射および他の薬剤の投与ならびにデバイスのさまざまな緊急時対応策に対する現在の要求の観点から、さまざまな例示実施形態の簡単な要約が提示される。以下の要約ではある程度の簡略化および省略がなされ得るが、さまざまな例示実施形態のある側面を強調および紹介するものであって、本発明の範囲を制限するものではない。望ましい例示実施形態の詳細な記載は、当業者が次節以降に記載される本発明のコンセプトを作成および使用するには十分である。
【課題を解決するための手段】
【０００５】
さまざまな実施形態はユーザデバイスによって実行されるインストラクションが符号化された非一時的機械読み出し可能記憶媒体に関し、前記媒体は、薬剤分配器を動作させる患者と通信セッションを確立させるために入力されるリクエストの指示情報を表示させるためのインストラクションと、入力されるリクエストを承認するユーザデバイスの医師ユーザに基づいて薬剤分配器を介して患者と双方向通信セッションを確立するためのインストラクションと、双方向通信セッションの間にディスペンスユーザインターフェース（ＵＩ）エレメントを表示するためのインストラクションと、医師ユーザからディスペンスＵＩエレメントの選択を受信するためのインストラクションと、選択に基づいて、薬剤分配器が患者に薬剤を分配するためのコマンドを送信するためのインストラクションを含む。
【０００６】
さまざまな実施形態はユーザデバイスによって実行される方法に関し、当該方法は、ユーザデバイスの医師ユーザと患者との間に遠隔薬剤分配器を介して双方向通信セッションを確立する工程と、薬剤分配器に関する薬剤を記載する情報を受信する工程と、医師ユーザが選択するための薬剤を示すディスペンスユーザインターフェース（ＵＩ）エレメントを表示する工程と、ディスペンスＵＩエレメントの選択に基づいて、遠隔薬剤分配器が薬剤を患者に分配するためのコマンドを送信する工程を含む。
【０００７】
さまざまな実施形態は医師ユーザが使用するポータブル通信デバイスに関し、ポータブル通信デバイスは、通信インターフェースと、表示デバイスと、タッチ入力デバイスと、メモリと、メモリと通信するプロセッサを含み、プロセッサは、薬剤分配器を動作させる患者と通信セッションを確立させるために入力されるリクエストの指示情報を表示デバイスを介して表示し、入力されるリクエストを承認するユーザデバイスの医師ユーザに基づいて、通信インターフェースおよび薬剤分配器を介して患者と双方向通信セッション確立し、双方向通信セッションの間に、表示デバイスを介して、ディスペンスユーザインターフェース（ＵＩ）エレメントを表示し、タッチ入力デバイスを介してディスペンスＵＩエレメントの選択を医師ユーザから受信し、通信インターフェースを介して、選択に基づいて、薬剤分配器が薬剤を患者に分配するためのコマンドを送信するように構成される。
【０００８】
さまざまな実施形態が、請求項１の非一時的機械読み取り可能記憶媒体に記載され、さらに、入手可能な薬剤を記載する薬剤データを薬剤分配器を介して検索するためのインストラクションと、ディスペンスＵＩエレメントによって薬剤データの指示情報を表示するためのインストラクションを含む。
【０００９】
さまざまな実施形態において、薬剤データは薬剤の有効期限を含む。
【００１０】
さまざまな実施形態は、さらに、双方向通信セッションの間に第２のディスペンスＵＩエレメントを表示するためのインストラクションと、医師ユーザから第２のディスペンスＵＩエレメントの選択を受信するためのインストラクションと、第２のディスペンスＵＩエレメントの選択に基づいて、薬剤分配器が第２の薬剤を患者に分配するためのコマンドを送信するインストラクションを含む。
【００１１】
さまざまな実施形態は、薬剤を患者に分配するために入手可能か否かを示す薬剤情報を受信するためのインストラクションを追加で含み、ディスペンスユーザインターフェース（ＵＩ）エレメントを表示するためのインストラクションは、薬剤情報が患者に分配するための薬剤が入手不可能であることを示す場合に、選択できないとしてディスペンスＵＩエレメントを表示するためのインストラクションと、医師ユーザからディスペンスＵＩエレメントの選択を受信するためのインストラクションは、薬剤が患者に分配するために入手可能であることを示す薬剤情報に基づいて実行されるように構成されるインストラクションを含む。
【００１２】
さまざまな実施形態は、双方向通信セッションを介して、薬剤分配器からビデオデータのストリームを受信するためのインストラクションと、ビデオデータのストリームに基づいてビデオを医師ユーザに表示するためのインストラクションを追加で含む。
【００１３】
さまざまな実施形態は、医師ユーザから入力されるメッセージを受信するためのインストラクションと、薬剤分配器が入力されたメッセージを患者に表示するためのコマンドを送信するインストラクションを追加で含む。
【００１４】
さまざまな例示実施形態をより理解するために、以下の図面を参照する。
【図面の簡単な説明】
【００１５】
【図１】例示薬剤格納ケースを図示する。
【図２】薬剤格納ケースの例示コンポーネントのブロック図を図示する。
【図３】薬剤格納ケースの例示コンポーネントの例示概要図を示す。
【図４】薬剤を含有する例示スリーブを図示する。
【図５】例示薬剤格納ケースの断面図を図示し、スリーブを選択的に保持および放出する例示アクチュエータを含む。
【図６】薬剤格納ケースによって緊急サービスにコンタクトするための例示方法を図示する。
【図７】遠隔インストラクションに応答して、薬剤にアクセスできるための例示方法を図示する。
【図８】薬剤格納ケースの例示ネットワーク環境を図示する。
【図９】医師デバイスまたは制御センターデバイスの例示ハードウェア図を示す。
【図１０】医師ユーザを認証するための例示ユーザインターフェースを図示する。
【図１１】ホームスクリーンを表示するための例示ユーザインターフェースを図示する。
【図１２】入力通信リクエストの指示を表示するための例示ユーザインターフェースを図示する。
【図１３】通信セッションの間に表示するための例示ユーザインターフェースを図示する。
【図１４】患者ビデオを表示し、テストメッセージを送信するための例示ユーザインターフェースを図示する。
【図１５】患者ビデオを表示するための代替ユーザインターフェースを図示する。
【図１６】薬剤を患者に分配するための分配ボタンを表示するための例示ユーザインターフェースを図示する。
【図１７】薬剤を患者に分配するための分配ボタンを表示するための代替ユーザインターフェースを図示する。
【図１８】前回の通信セッションのログを表示するための例示ユーザインターフェースを図示する。
【図１９】通信セッションに関する医師のノートを受信するための例示ユーザインターフェースを図示する。
【図２０】薬剤格納ケースと通信するための例示方法を図示する。
【発明を実施するための形態】
【００１６】
しばしば効果的ではあるが、常に患者が薬剤を携帯する緊急時対応策が完全な解決策ではない。患者が緊急事態に対処するための適切な薬剤にアクセスできない多くの状況が存在する。例えば、患者の状態がまだ診断未確定である場合に、緊急に薬剤またはデバイスを前もって処方する機会はない。別の実施例としては、患者が子供である、または、薬剤またはデバイスの使用に監督または案内が必要な場合には、患者処方を実際には携行しない場合があるので入手可能ではあり得ない。さらに、投与のための適切な管理者がいない場合もあり得る。これらの特殊事情を除いて、患者が単純に処方箋を忘れた場合、あるいは、処方された薬剤またはデバイスを緊急時に持ち合わせていない場合があり得る。少なくともこれらの理由のために、緊急時に適切に処方された薬剤またはデバイスを提供するために代替的または追加の解決策に対する要望がある。
【００１７】
より詳細に以下に説明されるように、さまざまな実施形態には、コール時の医師等の遠隔オペレータからインストラクションが受信されるまで格納された薬剤に対するアクセスが制限され、ローカル患者または他のユーザが使用する薬剤を放出する薬剤格納ケースが含まれる。遠隔オペレータが格納ケースから薬剤を分配するか否かおよびタイミングを適切に確実に決定するために、格納ケースは追加で遠隔オペレータと双方向通信機能を備える。この通信によって、遠隔オペレータは、薬剤が分配されるべきか否かを決定するために患者および状況に関する十分な情報を得ることができる。
【００１８】
本明細書に記載された説明および図面は、さまざまな原理を説明する。当業者であれば、明細書に明確に記載または示されていなくとも、これらの原理を具体化し、この開示の範囲内に含まれるさまざまな配置を立案することが可能である。本明細書では、用語、「または」は、排他的ではない「または」（すなわち、「または」）を意味し、別段の指示がなければ（例えば、「または別のもの」または「または選択的である」）を意味する。さらに、本明細書に記載のさまざまな実施形態は相互に排他的ではなく、組み合わされて、本明細書に記載の原理を組み込んだ追加の実施形態を形成し得る。本明細書に記載の方法およびデバイスは、薬剤、医療用デバイス、およびそれらの組み合わせを分配するために使用され得ることは明らかである。したがって、本明細書で使用される用語「薬剤」は薬剤および医療用デバイスの両方を意味することが理解されるであろう。さらに、本明細書に記載のさまざまなデバイスは、医療分野以外の物質、デバイス、および他のアイテムへのアクセスを制御するために使用され得ることが理解されるであろう。
【００１９】
同様の数字は同様のコンポーネントまたはステップを参照する図面を参照して、さまざまな例示実施形態の広い態様が記載される。
【００２０】
図１は例示薬剤格納ケース１００を図示する。薬剤格納ケースのさまざまな実施形態が本明細書に開示され、例示ケース１００は医療管理システムとも称されてもよい。図示されたように、格納ケース１００は、ケース本体１１０とそれにヒンジ１２２ａ、１２２ｂで結合するドア１２０を含む。ケース本体１１０は、ケース本体１１０の前表面で開口部によってアクセス可能である内部領域１４０を含む。さまざまな実施形態では、格納ケース１００は壁または他の構造物に取り付け可能である。そのようなものとして、格納ケースは、当該取り付けを完遂できるに充分な固定ハードウェアをも含み得る。例えば、ケース本体１１０の裏側表面には、壁にネジで留められたボルトのボルトヘッドを受容する凹部を含み得る。別の実施例としては、固定ハードウェアには分離されたマウント構造物が含まれ得て、それはネジで壁に取り付けられ、ケース本体１１０の裏側表面にはフック、クリップ、または他の構造物が取り付けられる。格納ケース１００を構造物に取り付けるためのさまざまな他のタイプの固定ハードウェアが明らかであろう。さまざまな実施形態では、ケース本体の裏側表面、底部表面、または他の表面には、電力、ネットワーク、および電話接続等のコネクタが含まれ得る。
【００２１】
ケース本体の底部には下部レッジ１４２を形成し、ユーザによって取り出される前に分配された薬剤１３０がその上に残る。分配される前に、薬剤１３０は内部領域１４０の別の領域に保持され、そこはローカルユーザにはアクセス不可能で有り、または、困難性を伴ってアクセス可能である。例えば、薬剤１３０は内部領域１４０のある部分に保持されてもよく、そこは開口部および下部レッジ１４２の上で、格納ケース１１０の前表面の後ろ側に隠されている。さまざまな実施形態では、格納ケース１００はお互いに異なり得る複数の薬剤を格納および分配するように構成される。例えば、いくつかの実装形態では、格納ケースは大人および子供用のエピネフリン自己注射器の両方を分配でき、製品箱等のさまざまなパッケージングの内部に保持され得る。
【００２２】
分配する前に薬剤を保持するために、格納ケース１００は、薬剤ロック（図示せず）または、ドア等の他のロック可能な保持構造物（図示せず）を含み得る。または、図示されたドア１２０は閉じた状態でロック可能であり得る。さまざまな例示薬剤ロックおよび他の保持構造物がより詳細に以下に記載される。特定の保持構造物が使用されたが、さまざまな実施形態では、保持構造物はプロセッサ（図示せず）によって制御されたアクチュエータ（図示せず）によってロックされた状態からロックされていない状態に電気的に推移でき、遠隔サイトからロックされていない保持構造物に受信されたインストラクションにしたがって動作する。例えば、分配インストラクションを含むインターネットパケット等のアンロック信号を受信すると、プロセッサはアクセス信号をアクチュエータに送信し、次に、保持構造物をロックされていない状態にできる。一旦保持構造物がロックされていない状態になると、薬剤はデバイスから自由に移動可能になり、すなわちユーザはロックされていない保持構造物（例えば、ロックされていないドアを開ける）をマニュアルで動作させることができ自由に薬剤にアクセスでき得る。
【００２３】
格納ケース１００は、ローカルユーザと通信するための複数の入力／出力デバイスも含む。図示されたように、格納ケースは「Ｇｏ」ボタン１１１および「Ｓｔｏｐ」ボタン１１２を含む。Ｇｏボタン１１１を押下すると、格納ケース１００は、遠隔サイトと双方向通信セッションを通信ユニット（図示せず）を介して開始し得る。通信セッションはマイクロフォン１１４とスピーカ１１５によるオーディオ通信を含み得て、ローカルユーザと遠隔オペレータは会話をし得る。Ｓｔｏｐボタン１１２は、ローカルユーザがＧｏボタン１１２を押下して格納ケース１００によって実行される呼び出しを終了し、または、全ての処理を停止するように構成され得る。
【００２４】
ディスプレイ１１３もさまざまな目的のために提供され得る。例えば、ディスプレイは、双方向通信セッションの一部としてカメラ（図示せず）と共に、遠隔サイトとローカルユーザとの間のビデオフィードを促進し得る。または、ディスプレイ１１３はさまざまな情報をローカルユーザに示し得て、例えば、格納ケース１００または遠隔オペレータによって現在遂行される動作に関する薬剤使用法インストラクションまたはステータス更新がある。そのようなものとして、表示される情報はローカルに記憶され、または、遠隔サイトまたはその他の場所から受信され得る。さまざまな実施形態では、ディスプレイ１１３に表示される情報は、医師等の遠隔オペレータによって制御される。いくつかの実装形態では、ディスプレイ１１３はタッチスクリーン入力を含む。当該実施形態では、ディスプレイ１１３は、Ｇｏボタン１１１およびＳｔｏｐボタン１１２の代わりに、またはそれらに加えてソフトボタンが含まれ得る。タッチスクリーンディスプレイ１１３は、パスワードの入力、キーカードのスワイプまたはいずれかの他の認証プロセスによってアクセス可能な管理インターフェースを提供するようにも使用され得て、権限が与えられたユーザが記録された情報または内部の区画にアクセスできるようになり、分配または期限切れ薬剤を取り替える。
【００２５】
格納ケース１００のステータスは、代替または追加の方法で通信され得る。例えば、図示されるように、格納ケース１００は複数のステータスライト１１６を含む。ステータスライトは、パワーオンすなわちブートステータス等のシステム情報、または、呼び出しがあったかまたは薬剤が分配されたか等のプロセスフロー情報を表示し得る。ステータスライト１１６に対するさまざまな他の使用方法は明らかである。
【００２６】
さまざまな実施形態では、格納ケースの動作を制御する電子機器は、バッテリー、電力供給装置、または他の電源から電力を常に供給され得る。他の実施形態では、電力消費を低減する電力セーブ特徴を実装し得る。例えば、使用していない間は、格納ケース１００の電子機器の電源は切断され、または「スリープ」モードになり得る。ローカルユーザによって活性化されると、これらの電子機器は電源が入りまたはウェークアップし、関連する機能を遂行する。例えば、ドア１２０を開口し、Ｇｏボタンを押下し、または分離した「Ｐｏｗｅｒ」ボタンを押下すると、電子機器の電源が入りまたはウェークアップするように構成され得る。さまざまな他の電力をセーブする特徴は明らかである。
【００２７】
一旦薬剤が分配されると、格納ケース１００はサービススタッフによって追加の薬剤が再充填され得る。いくつかの実装形態では、再充填はケース１００を開けた後に実施され得るが、他の実施形態では、サービススタッフは、ケースを開けないで、前面の開口製品アクセス領域を介して、ケースに直接再充填し得る。特別なサービスアクセス（例えばケースを開けること）を要求しない再充填のためのさまざまな代替方法が利用され得て、それは、例えば、図１６に対して以下に記載するように、ケースの上部のスロットによって、薬剤を充填する。
【００２８】
図２は、薬剤格納ケースの例示コンポーネントの例示ブロック図２００を図示する。さまざまな実施形態では、ブロック図は、図１の例示格納ケース１００のさまざまな電子機器およびメカニカルコンポーネントを示す。
【００２９】
図示されたように、ブロック図２００は、電子サブシステム２１０、メカニカルサブシステム２４０、およびさまざまな追加のコンポーネント２５０〜２６６を含む。電子サブシステム２１０は、プロセッサ２１２およびさまざまなサポーティング電子機器コンポーネント２１４〜２３２を含む。プロセッサ２１２は、本明細書に記載されている機能を連係させることができる仮想的ないずれかのデバイスを含み得て、例えば、マイクロプロセッサ、フィールドプログラマブルゲートアレイ（ＦＰＧＡ）、または特定用途向け集積回路（ＡＳＩＣ）であり得る。さまざまな実施形態では、プロセッサ２１２はＡＲＭ（登録商標）アーキテクチャマイクロプロセッサである。
【００３０】
プロセッサ２１２は、ＳＤカードインターフェース２１６およびオンボードプログラムおよびデータメモリ２２４、２２６を含むさまざまな形態のメモリ／データ記憶装置にアクセスする。プログラムメモリ２２４は、プロセッサに、図６〜７に対して記載されている例示方法等の本明細書に記載されているさまざまな方法を実行させるためのソフトウェアインストラクションを記憶する。例えば、プログラムメモリ２２４は、適切なデバイスドライバーを含むリナックス（登録商標）カーネル等のオペレーティングシステム、リアルタイムトランスポートプロトコル（ＲＴＰ）スタックインストラクション、セッションイニシエイションプロトコル（ＳＩＰ）スタックインストラクション、ダイレクトアクセスアレンジメント（ＤＡＡ）スタックインストラクション、および、Ｑｔグラフィカルユーザインターフェース（ＧＵＩ）を提供するためのインストラクションを記憶し得る。さらに、プログラムメモリ２２４は、入力されるイベントに応答するためのイベントハンドラーインストラクションを記憶してもよく、それらにはドア開／閉、ウォッチドッグリセット、ファクトリリセット、ファームウェア更新、製造モードへの進入、ステータス／リポーティング、および故障通知が挙げられる。プログラムメモリ２２４はさまざまなオーディオコンポーネントを記憶してもよく、それらにはアドバンストリナックス（登録商標）サウンドアーキテクチャ（ＡＬＳＡ）ライブラリー、ソフトウェアコーディックインストラクション、およびエコー／ノイズキャンセレーションアルゴリズムが挙げられる。
【００３１】
データメモリ２２６は、さまざまなデータを記憶するためにプロセッサによって使用されてもよく、それらには格納ケースの使用法、位置情報に関するログデータ、または気温情報のログが挙げられる。データメモリ２２６またはＳＤまたは他のメモリカードに記憶されるさまざまな他のデータは本願の明細書から明らかになるであろう。または、あるいは、さらに、ＳＤまたは他のメモリカード２１６は、ブートアップインストラクション、ファームウェアイメージ、活動ログ、あらかじめ定められた情報およびメッセージ、並びに他の情報を記憶するために使用されてもよい。
【００３２】
電子サブシステム２１２は、オーディオコーディック等のオーディオインターフェース２１４を含み、スピーカ２５０、ヘッドセット２５２、あるいはマイクロフォン２５４等のさまざまなオーディオデバイスを介して、プロセッサがオーディオデータを送受信することを可能にする。同様に、電子サブシステム２１０は、タッチスクリーンデバイス２５６に映像データを出力し、タッチ入力を受信するためのタッチスクリーンインターフェース２１８を含む。ステータスＬＥＤ２５８またはプッシュボタン２６０等のさまざまな他の入力／出力デバイスのために、電子サブシステム２１０は汎用入力／出力（ＧＰＩＯ）インターフェース２２０を備える。
【００３３】
プロセッサ２１２はさまざまな外部デバイスにアクセスしてもよい。例えば、インターネットまたは他のネットワークを介して他のデバイスに接続するために、電子サブシステム２１０はイーサネット（登録商標）あるいはＷｉＦｉ（登録商標）２６２などのさまざまな媒体を介して通信する物理ネットワークインターフェース（ＰＨＹ）を含む。さらに、電子サブシステム２１０は、地上通信線２６４によって電話の呼び出しの確立を可能にするための従来の通常電話システム（ＰＯＴＳ）インターフェース２２８を含む。システムデバッギングおよび他のメンテナンスを可能にするために、電子サブシステム２１０はＲＳ−２３２シリアルインターフェース２３２を含み、ユニバーサル非同期受信器／送信機（ＵＡＲＴ）を含むデバイスが取り付けられ得てデータおよびインストラクションをプロセッサと通信する。
【００３４】
電子サブシステム２１０は、メカニカルサブシステム２４０と通信するためのエンクロージャＩ／Ｏインターフェース２３０も含み得る。さまざまな実施形態では、エンクロージャＩ／Ｏインターフェース２３０は単純にＧＰＩＯインターフェース２２０を使用してもよい。メカニカルサブシステム２４０は２つのデバイスを含む。スイッチ、ボタン、近接センサ、あるいはモーション検出器等のドアが開いたことを検出するデバイスが、ドアが開いた場合にエンクロージャＩ／Ｏインターフェース２３０に信号を送信するために配置され得る。さまざまな実施形態では、この信号は、電子サブシステム２１０に電源を投入する、または、ウェークアップさせるために使用され得る。ソレノイドインターフェースまたは他のアクチュエータインターフェース等の薬剤ロック／アンロックメカニズム２４４は、エンクロージャＩ／Ｏインターフェース２４４を介してプロセッサ２１２からアクセス信号を受信する。当該信号を受信すると、以下に詳述するように薬剤ロック／アンロックメカニズム２４４は薬剤を分配する。
【００３５】
図３は、薬剤格納ケースの例示コンポーネントの例示概要図３００を図示する。さまざまな実施形態では、概要図３００が例示格納ケース１００のさまざまなシステムを記載し得て、図２のブロック図２００のより詳細な実施形態を図示し得る。
【００３６】
図示されたように、システムは以下に記載するプロセッサ３１０の周囲に配置され、プロセッサ３１０は記載される機能を実行可能なマイクロプロセッサ、ＦＰＧＡ、ＡＳＩＣ、あるいはいずれかの他のデバイスであり得る。プロセッサ３１０はいくつかのオンボードメモリを含み得て、さらに、ＳＤカードコネクタ３１１、およびＥＥＰＲＯＭ３１４、ＤＤＲ３メモリ３１５、並びにＮＡＮＤフラッシュメモリ３１６等の他の形態のメモリにアクセスし得る。プロセッサ３１０は、セキュアデジタルインプットアウトプット（ＳＤＩＯ）バスを介してＳＤカードコネクタ３１１と通信し得る。さまざまなデータおよびインストラクションがこれらのメモリデバイスに記憶され得る。さらに、より少ないまたは追加のメモリデバイス、並びに、ここに示したものと異なるタイプのメモリデバイスを使用し得ることは明らかである。
【００３７】
プロセッサは、記載されたサブシステムに属しない他のデバイスも使用し得る。例えば、さまざまな実施形態では、システム３００は、リアルタイムクロックチップ３１２によって報告された日および時刻に基づいて、使用法のログを記録し続け得る。いくつかの実装形態では、プロセッサ３１０は、温度センサ３１３によって報告される、薬剤または周囲の領域の温度をモニタし、記録し得る。いくつかの実装形態では、温度センサ３１３はプロセッサ３１０または他のチップ（図示せず）によって使用され得て、薬剤が露出される温度を制御する。例えば、格納ケースには、内部温度を制御するためのファンまたは他のデバイスが備えられ得る。プロセッサ３１０は、温度センサ３１３があるあらかじめ定められた閾値よりも高い温度または時間経過温度を報告すると、ファンを制御する実施形態に構成され得る。格納ケースが持ち運び可能な実施形態、または、矛盾した気候にさらされた実施形態に当該特徴は特に役に立ち得る。さらに、上述したように、プロセッサ３１０は、デバッグまたはメンテナンスインターフェースを他のデバイスにＲＳ２３２トランシーバ３１７およびコネクタ３１８を介して提供し得る。
【００３８】
説明されたように、さまざまな実施形態において、システム３００はドアが開かれたことを検出すると電源が入りまたはウェークアップする。当該機能を提供するために、ドアが開いたことを検出するモジュール３２０は、ドアが閉じた状態から移動したことを検出する１つ以上の近接センサ３２２を含む。当該情報は、１つ以上のＧＰＩＯラインを介してプロセッサに送信され得る。さまざまな代替実施形態では、近接センサ３２２は、専用のパワーボタン、または、ゴーストップボタン３４１のいずれか１つ等の他のデバイスに置き換えられてもよい。
【００３９】
オーディオ通信を促進するために、オーディオインタラクションユニット３３０はプロセッサ３３０と通信する。つまり、オーディオインタラクションユニット３３０は、マルチチャンネルオーディオシリアルポート（ＭｃＡＳＰ）および集積回路（１２Ｃ）バスを介して、データをプロセッサ３１０と通信するオーディオコーディック３３２を含む。次に、オーディオコーディック３３２は、プロセッサ３１０から受信したオーディオデータをヘッドセット３３４およびスピーカ３３６によって出力し、マイクロフォン３３８を介して受信されたアナログオーディオデータをデジタル化する。理解されるように、プロセッサは当該オーディオデータに対しては単にパススルーとして機能し得て、オーディオインタラクションユニットと接続ユニット３５０との間のデータ交換を可能にする。他の実施形態では、オーディオインタラクションユニット３３０は接続ユニット３５０に直接接続されてもよく、この場合には当該データを扱うプロセッサ３１０無しでデータが遠隔位置に送信され得る。例えば、オーディオインタラクションユニット３３０は、アナログオーディオデータをＲＪ−１１コネクタを介して送受信され得る。いくつかの実装形態では、当該直接接続は、プロセッサ３１０によって選択的にイネーブルまたはディスエーブルされ得る。
【００４０】
さらなるタイプのローカルユーザとの相互作用のために、システム３００は、さまざまな入出力デバイスを含むユーザインターフェースユニット３４０を含む。例えば、ユーザインターフェースユニット３４０は、遠隔サイトと接続するためのシステム動作を開始または中断するために使用され得るＧｏおよびＳｔｏｐボタン３４１を含み得る。そのようなものとして、ＧｏおよびＳｔｏｐボタン３４１は、信号をプロセッサ３１０に１つ以上のＧＰＩＯチャンネルを介して提供し得る。同様に、プロセッサは、信号を１つ以上のＧＰＩＯチャンネルを介して送信することによって、ステータスおよびアクティビティＬＥＤ３４３を点灯するように構成し得る。
【００４１】
ユーザインターフェースユニット３４０は、ＬＣＤディスプレイ３４５および一体型タッチスクリーン３５７をも含む。プロセッサ３１０は、メモリデバイス３１１、３１４、３１５、３１６に記憶されたあらかじめ定められたインストラクション、または、接続モジュール３５０を介して受信された情報等の映像データを、ＬＣＤディスプレイ３４５にディスプレイインターフェースを介して出力し得る。プロセッサ３１０は、タッチスクリーンインターフェースを介してタッチスクリーン３４７から受信されたいずれかの入力をも受信する。さまざまな実施形態では、ＬＣＤディスプレイ３４５、Ｇｏ−Ｓｔｏｐボタン３４１、あるいは他のコンポーネントのバックライトを制御するバックライトドライバー３４９を提供することによって、薄暗がり条件でシステムの使用も補助し得る。プロセッサは、パルス幅変調チャンネルを介してバックライトドライバー３４９に所望のバックライティング強度を示す指示情報を送信し得る。
【００４２】
プロセッサ３１０には、接続モジュール３５０を介して遠隔デバイスと通信する能力が提供される。図示されたように、接続モジュール３５０には、３つの通信チャンネルが提供される。より少ないあるいはさらなる通信チャンネルがサポートされてもよい。第１のチャンネルとして、接続モジュールは、ＲＪ−４５接続等のイーサネット（登録商標）コネクタ３５３を介した有線ネットワーク通信を可能にするイーサネット（登録商標）ＰＨＹチップ３５１を含む。プロセッサ３１０はメディアインディペンデントインターフェース（ＭＩＩ）を介してイーサネット（登録商標）ＰＨＹチップでデータを伝送し得る。第２のネットワークチャンネルを提供するために、接続モジュール３５０は、アンテナおよびＷｉＦｉ（登録商標）ＰＨＹチップを含むＷｉＦｉ（登録商標）モジュール３５５を含む。プロセッサ３１０は、ＳＤＩＯバスを介してデータをＷｉＦｉ（登録商標）モジュール３５５で伝送する。接続モジュール３５０に備えられる第３のチャンネルは地上通信線ＰＯＴＳ接続である。そのようなものとして、接続モジュール３５０は、ＲＪ−１１コネクタ３５９を介して電話線と通信する音声ダイレクトアクセスアレンジメント（ＤＡＡ）チップセット３５７を含む。プロセッサ３１０は、ＳＰＩバスおよびＭｃＡＳＰを介して音声ＤＡチップセット３５７と通信し得る。
【００４３】
薬剤を放出するために、プロセッサ３１０は薬剤デバイス分配回路３６０と通信する。特に、プロセッサ３１０は薬剤を放出するために１つ以上のソレノイドインターフェース３６２、３６４または他のインターフェースと通信し得る。さまざまな実施形態では、プロセッサ３１０は、それぞれの汎用ＩＯチャンネルを介してソレノイドインターフェース３６２、３６４のそれぞれと通信する。
【００４４】
いくつかの実装形態では、さまざまな電子機器回路は、自己診断機能すなわちフィードバック能力を含み得る。例えば、自己診断すなわちフィードバック方法は、ソレノイドループの状態をモニタする、バッテリーの劣化をモニタする、他のキーとなる機能をモニタするために採用され得る。当該能力を実装するための方法は明らかである。
【００４５】
例示システム３００を実装するために使用され得るいくつかのデバイスは省略し得る。例えば、システムを実装する場合に、電話ライントランスレータが音声ＤＡチップセット３５７とＲＪ−１１コネクタとの間に位置し得るし、磁石がイーサネット（登録商標）ＰＨＹチップ３５１とイーサネット（登録商標）コネクタ３５３との間に位置し得る。さらに、通信のための追加のラインがさまざまなチップの間に配置され得る。例えば、データをＬＣＤディスプレイ３４５に表示する他に、プロセッサ３１０はイネーブル信号あるいはリード／ライト信号等のさまざまな信号を追加で送信し得る。さまざまなさらなる実装形態で省略される詳細があることは明らかである。
【００４６】
記載したように、薬剤はパッケージングが有る状態と無い状態で分配され得る。いくつかの実装形態では、薬剤の保持および放出は、分離したスリーブ、ケース、あるいは、薬剤を含み保持し、および、薬剤をロックし格納ケースの他の保持構造物と係合するための他の構造的な特徴を提供する他の装置によって補助され得る。図４は、薬剤を保持するための例示スリーブ４００を図示する。スリーブ４００は仮想的にはいずれの材料からも形成され得る。いくつかの実装形態では、スリーブ４００はアクリロニトリル・ブタジエン・スチレン（ＡＢＳ）樹脂または他の材料から形成され、それは落下力に耐えまたは衝撃を吸収し、スリーブ４００の内部に保持されるいかなる薬剤の一体性も維持するほど十分に強いものである。当該スリーブは、空洞のスリーブボディ４１０、少なくとも一端の近傍の少なくとも１つの開口部４２０、および、ボディ４１０の上面から延在するレール４３０を含む。開口部は薬剤のためのボックスパッケージを受容できる大きさである。例えば、２つのエピネフリン自己注射器ペンを含む標準の市販のボックスパッケージは、開口部４２０を介して挿入され、ボディ４１０の中に受容され得る。レール４３０は、薬剤をロックし、または格納ケースの他の保持構造物を係合するために提供され、その例示形態が図５を参照して以下に記載される。
【００４７】
スリーブ４００は１つの実施例であり、さまざまな代替構造を使用し得ることは明らかである。例えば、スリーブは開口部４２０を含まずに、代わりに、ボディの２つの部分の間のヒンジで連結された係合部を含み得て、スリーブは開き得る。別の実施例としては、レール４３０は、円形のループ、磁石、または、特定の保持構造物を係合するために使用されるのに適した他の構造物または材料に置き換えることができる。さらに、ボディ４１０は異なる形状に形成され得る。例えば、パッケージ無しで薬剤が分配される場合には、ボディ４１０は代わりに薬剤を含む構造である丸いスリーブまたは他の形状であり得る。いくつかの実装形態では、ボディ４１０は省略され得て、レール４３０または他の係合構造が薬剤または薬剤パッケージに接着剤、ネジ、または他の装着手段によって直接装着され得て、あるいは、薬剤またはパッケージと一体に形成され得る。さまざまな追加の変形形態が明らかである。
【００４８】
図５は、図１の例示薬剤格納ケース１１０の側面から見られる断面図５００を図示し、スリーブを選択的に保持および放出する例示アクチュエータを含む。ケース本体１１０はその間に内部領域１４０を形成する表側表面と裏側表面を備える。
【００４９】
薬剤１３０を保持するスリーブ４００は、スリーブレール４３０によって内部領域１４０の中で宙づりになる。図示されたように、フック５１０はレール４３０の下で受容され、スリーブ４００がフック５１０からぶら下がるようになる。フック５１０は旋回ポイント５１２で適切に保持される。例えば、ロッド、ピン、または他の構造物が旋回ポイント５１２でフック５１０に挿入され得て、図５の透視図から見られるようにフックが時計方向または反時計方向に回転し得る。スリーブ４００および薬剤１３０の質量によって、フックは時計方向に回転する傾向がある。図示されるように、フック５１０が十分に遠くに時計方向に回転すると、レール４３０はフック５１０からスライドして落ちる。フック５１０に支持されないと、スリーブ４００は落下してユーザによって回収されるように下部レッジに到達する。スリーブ４００がフック５１０から落下する力に対抗するために、充分な力のスプリングがフック５１０の頭部とケース本体１１０との間に配置されている。そのようなことから、他の外からの力がフック５１０に働かなければ、フックはスリーブ４００を宙づりに保持する。
【００５０】
保持構造物（例えば、フック５１０およびスプリング５１４）を放出するために、ソレノイド５６２およびソレノイドコントローラ３６２を含むアクチュエータが備えられる。上述したように、ソレノイドコントローラ３６２はアクセス信号をプロセッサから受信し、それに応答して、ソレノイド５６２にソレノイドシリンダーを前方向（図５の透視図で右側）に移動させるために充分な電流を流し、第３の力をフック５１２に加える。スリーブ４００および薬剤１３０の下方に向かう力と一緒に加わるソレノイド５６２の力によって、スプリング５１４を反対方向に移動させる力に十分になるのでフック５１０が回転してスリーブ４００を放出する。
【００５１】
図５の配列は薬剤を分配するための保持構造物およびアクチュエータの一例であり、数多くの他の構成が可能で有ることは明らかである。例えば、スリーブ４００はソレノイドシリンダーによって直接宙づりにされ得て、ソレノイドコントローラ３６２を活性化させるとスリーブ４００との係合が外れるように動作する。当該実施形態では、ソレノイド５６２のコンポーネントは、保持構造物およびアクチュエータの両方として機能する。同様に、いくつかの実装形態では、ソレノイドシリンダーは別の非旋回構造物と接触または一緒に構成され得て、線形に移動してスリーブ４００との係合が外れる。別の実施形態では、スリーブ４００または薬剤１３０を宙づりにする代わりに、スリーブ４００または薬剤１３０は、移動可能なプラットフォームに沿って配置され得る。活性化されると、プラットフォームは後退または旋回し得て、スリーブ４００または薬剤１３０が支持されなくなり、下部レッジ１４２に落下する。
【００５２】
さまざまな配置ではソレノイドよりもアクチュエータを使用し得る。例えば、サーボモータまたはステッピングモータがフック５１０またはプラットフォームの角度位置を制御するために使用され得る、または、別の保持構造物を１つ以上の結合構造物（例えば、構造物に取り付けられた巻きケーブルによって）を介して線形に後退させるために使用され得る。別の実施例としては、保持構造物が電磁磁石である場合には、アクチュエータは、磁石への電力を切るように構成されるコントローラであり得るので、スリーブ４００または薬剤１３０を放出する。さまざまな他のタイプのアクチュエータが明らかである。
【００５３】
さらに、薬剤をユーザがアクセス可能な領域に落下させないで薬剤を分配する、さまざまな他の保持構造物およびアクチュエータ配置が利用できる。例えば、薬剤１３０の周囲に配置されるリングまたはクランプによって薬剤１３０を格納ケースにロックしてもよく、適切なアクチュエータによって開かれ得る。別の実施例としては、薬剤１３０はロックされたドアの裏側に配置されてもよく、例えば、第１のドア１２０の裏側の第２のドア、第１のドア１２０の裏側の実施形態ではＧｏボタン１１１等の制御部は第１のドアの裏側でも収納されておらず、すなわちロックされた引き出しの中にある。当該実施形態のアクチュエータは、当該ドアまたは引き出しのロックを解除するように機能でき、ユーザがドアまたは引き出しを開けることができ、薬剤にアクセスできる。このように、いくつかの実装形態では、アクチュエータは薬剤１３０を能動的に放出するので、ユーザは放出後に直接薬剤１３０を取り出すことができる、一方他の実施形態ではアクチュエータは薬剤１３０を受動的に放出するので、ユーザは手動で保持構造物を移動させて薬剤１３０にアクセスできる。
【００５４】
図６は、薬剤ストレージケースによって緊急サービスにコンタクトするための例示方法６００を図示する。方法６００は格納ケース１００のプロセッサ２１２またはプロセッサ３１０等のプロセッサによって実行され得るし、当該プロセッサによって実行されるためのプログラムインストラクションとして符号化されていてもよい。
【００５５】
方法６００はステップ６１０で開始し、ステップ６２０に進み、ここでプロセッサはＧｏボタンが押下された指示情報を受信する。当該ボタンの押下は、ボタン１１１等の物理Ｇｏボタンまたはディスプレイ１１３等のタッチスクリーンディスプレイに表示され得るソフトＧｏボタンによって検出され得る。さまざまな実施形態では、ステップ６２０プロセッサがイベントハンドラーのイベントを受信し、認識する工程から構成される。
【００５６】
次に、ステップ６３０において、プロセッサは、緊急派遣に対する地上通信線コールを開始する。例えば、格納ケースがアメリカ合衆国に位置する場合には、プロセッサは電話の呼び出しを９１１緊急サービスにするように構成される。緊急派遣に接続中または接続後に、プロセッサは、一組のあらかじめ定められた情報を緊急派遣に地上通信線コールを介して送信する。例えば、プロセッサは呼び出しが薬剤格納ケースからであることを示す情報を送信し得るので、音声セッションをローカルユーザと確立する必要がない、すなわち格納ケースの位置はＧＰＳまたは他の手段によってあらかじめプログラムまたは決定されていてもよい。緊急派遣に送信されるべきさまざまな追加または代替情報は明らかである。当該情報はいずれかの形態、例えば、コンピュータによって生成された音声オーディオ、ファックスデータ、またはアナログ電話信号に符号化されたデータ等の形態で送信され得る。
【００５７】
次に、ステップ６５０において、プロセッサはボイスオーバＩＰ（ＶＯＩＰ）コールを緊急派遣ではなく制御センターに開始する。例えば、制御センターは格納ケースまたはその中に含まれる薬剤を提供、維持管理、または関連する同一の事業者によって運営され得る。再び、格納ケースは格納ケースの位置または識別情報等のさまざまなあらかじめ定められた情報も送信し得る。次に、ステップ６６０において、プロセッサはオーディオコーディックとＶＯＩＰチャンネルの間でオーディオデータを転送し、ローカルユーザが制御センターのオペレータと連絡することが可能になる。下記に示すように、制御センターオペレータはコールを医師に転送し得て、その後ローカルユーザは医師と連絡し得る。ステップ６７０において、プロセッサはＶＯＩＰコールを終了するべきかを決定する。例えば、プロセッサはＳｔｏｐボタンが押下されたか、あるいは他端からＶＯＩＰコールがクローズされたかを判断し得る。もしそうでない場合には、方法６００はステップ６６０にループバックしオーディオデータを遠隔サイトに転送することを続ける。さもなければ、プロセッサはステップ６８０に進み、ＶＯＩＰチャンネルをクローズし、方法はステップ６９０において終了する。
【００５８】
方法６００は本明細書に記載されたシステムおよび方法による薬剤格納ケースの動作の一例であり、さまざまな代替方法が使用されてもよい。例えば、ステップ６７０は、コールをクローズするイベントハンドラーおよびイベントの指示情報によって実行され得る。いくつかの実装形態では、緊急派遣へのコールは発生しないことがあり得るが、他の実施形態では９１１へのコールだけが実行され、緊急派遣が薬剤の分配を遠隔制御し、または、コールを医師または他の事業者で同様に実装された事業者に転送する。他の実施形態では、方法のさまざまなステップが平行して実行される。例えば、ステップ６２０は２つのスレッドに分割され得て、第１のスレッドはステップ６３０、６４０を伴い、第２のスレッドはステップ６５０〜６８０を伴う。当該実施形態では、２つのコールが同時に実行される。さまざまな他の変形形態が明らかである。
【００５９】
図７は、遠隔インストラクションに応答して、薬剤にアクセスできる例示方法７００を図示する。方法７００はプロセッサ２１２またはプロセッサ３１０等の格納ケース１００のプロセッサによって実行され得て、当該プロセッサによって実行されるためのプログラムインストラクションとして符号化されていてもよい。
【００６０】
当該方法はステップ７１０において開始され、ステップ７２０に進み、プロセッサは分配インストラクションとして機能するアンロック信号を受信する。例えば、プロセッサは、薬剤を分配するためのインストラクションを含むパケットを受信し得る。ステップ７３０において、プロセッサは、インストラクションによって、分配すべき薬剤のインデックスを決定する。特に、格納ケースが複数の異なる薬剤および投薬量を分配できる実施形態の場合には、入手可能な薬剤はインデックス化され得る。例えば、大人エピネフリン自己注射器セットは「０」にインデックスされ得て、子供エピネフリン自己注射器セットは「１」にインデックスされ得る。ステップ７２０において受信されたインストラクションは適切な薬剤へのインデックスを直接特定し得る、または、分配すべき薬剤だけを特定し得る、この場合にはプロセッサは特定された薬剤のインデックスを、例えば、ルックアップテーブルによって決定し得る。単一タイプの薬剤が分配され得るだけの実施形態の場合には、ステップ７３０は省略され得る。
【００６１】
ステップ７４０では、プロセッサは適切な薬剤に対応するアクチュエータにアクセス信号を送信する。再び、このステップでは、インデックスまたは薬剤とアクチュエータを、例えば、ルックアップテーブルによって相関させる工程を含み得る。アクセス信号を受信すると、アクチュエータは、ユーザが取り出せるように薬剤を放出する。さまざまな代替実施形態では、単一のアクチュエータが複数の薬剤の放出を制御し得て、当該実施形態では、プロセッサは所望の薬剤のインデックスまたは他の識別情報をアクチュエータに単に送信し得て、次に、要求された薬剤を分配する適切な動作を決定する。
【００６２】
薬剤を分配後、プロセッサは薬剤のためのビデオインストラクションを記録して配置し、または当該インストラクションをネットワークインターフェースを介して受信する。ステップ７５０において、プロセッサはインストラクションを表示デバイスに出力するので、いずれの医師または他の遠隔オペレータにもインストラクションを画像で表示する。方法７００はステップ７６０において終了するように進む。
【００６３】
図８は、薬剤格納ケースのための例示ネットワーク環境８００を図示する。詳細を上述したように、格納ケース１００の動作は、少なくとも一部はインターネット８１０または他のネットワークを介して、制御センターデバイス８２０または医師デバイス８３０等の遠隔デバイスによって制御される。制御センターデバイス８２０または医師デバイス８３０は、端末、パーソナルコンピュータ、タブレット、携帯電話、または他のデバイス等のいずれかの仮想的なユーザデバイスであってもよい。
【００６４】
説明したように、ユーザによって活性化されると、格納ケース１００は、ＶＯＩＰコールを制御センター８２０または緊急派遣（図示せず）等の遠隔サイトに開始する。制御センター８２０は、直ちに、すなわち、コール中にＶＯＩＰコールを現場にいるまたはコールに出られる医師に転送し得る。いくつかの実装形態では、制御センター８２０は単に電子機器として動作し得て、コールを入手可能な医師デバイス８３０に自動的に転送する。当該実施形態では、制御センター８２０は、クラウドコンピューティング環境の中でホスティングされ得る。
【００６５】
制御センター８２０または医師デバイス８３０は、オーディオＶＯＩＰコールを補助する上に、格納ケース１００にある１つ以上の薬剤を遠隔で放出するために遠隔オペレータの能力をも備える。例えば、医師デバイス８３０はモバイルアプリケーションを実行させて、オーディオデータを医師と格納ケースの間で通信させ、医師に以下の２つのボタンを用意する。大人用の形態のエピネフリン自己注射器を分配するためのボタン、および、子供用の形態のエピネフリン自己注射器を分配するボタン。当該ボタンは、医師デバイスに分配インストラクションパケット等の放出信号を生成させ、格納ケース１００に制御センター８２０を介して、または、制御センター８２０を介さずに直接インターネット８１０を介して送信され得る。同様の機能が制御センター８２０に備えられ得る。
【００６６】
さまざまな変形形態および追加の特徴は明らかである。例えば、制御センター８２０または医師デバイス８３０は、格納ケース１００と単方向または双方向ビデオフィードをサポートするようにさらに構成することもできる。別の実施形態では、制御センター８２０または医師デバイス８３０は、遠隔オペレータが格納ケース１００の表示デバイスに表示されるべきテキストまたは図形を選択し、送信させることができる。さらに制御センター８２０または医師デバイス８３０は患者記録の保管場所等の他のデバイス（図示せず）とインターフェースすることができ、遠隔オペレータは患者の病歴にアクセスすることが可能になる。
【００６７】
いくつかの実装形態では、管理システムは、インターネット８１０または他のネットワークを介して格納ケース１００と通信することもできる。例えば、分離したサーバ、パーソナルコンピュータ、テーブル、ラップトップ、クラウド仮想マシン、または制御センター８２０自体が格納ケースと通信することができ、リスト管理、コール記録＆ロギング、および他の管理機能等の機能を実施することができる。
【００６８】
図９は、医師デバイスまたは制御センターデバイスのための例示ハードウェア図９００を図示する。さまざまな実施形態では、例示ハードウェア図９００は、格納ケースの少なくとも一部をも記載し得る。図示されたように、ハードウェア２００は、１つ以上のシステムバス９１０によって相互に接続されるプロセッサ９２０、メモリ９３０、ユーザインターフェース９４０、ネットワークインターフェース９５０、およびストレージ９６０を含む。図９は、いくつかの点で、抽象的なものから構成され、ハードウェア９００のコンポーネントの実際の構成は図示されたものより、より複雑であることが理解されよう。
【００６９】
プロセッサ９２０は、メモリ９３０またはストレージ９６０に記憶されるインストラクションを実行でき、または、データを処理できるいずれかのハードウェアデバイスであり得る。そのようなものとして、プロセッサ９２０にはマイクロプロセッサ、フィールドプログラマブルゲートアレイ（ＦＰＧＡ）、特定用途向け集積回路（ＡＳＩＣ）、または他の類似デバイスが含まれ得る。
【００７０】
メモリ９３０には、例えばＬ１、Ｌ２、またはＬ３キャッシュ若しくはシステムメモリ等のさまざまなメモリを含み得る。そのようなものとして、メモリ９３０には、スタティックランダムアクセスメモリ（ＳＲＡＭ）、ダイナミックＲＡＭ（ＤＲＡＭ）、フラッシュメモリ、読み出し専用メモリ（ＲＯＭ）、または他の類似メモリデバイスが含まれ得る。
【００７１】
ユーザインターフェース９４０には、アドミニストレータ等のユーザと通信を可能にするための１つ以上のデバイスを含み得る。例えば、ユーザインターフェース９４０には、ユーザコマンドを受信するためのディスプレイ、マウス、および、キーボードを含み得る。いくつかの実装形態では、ユーザインターフェース２４０には、ネットワークインターフェース９５０を介して遠隔端末に伝達され得るコマンドラインインターフェースまたはグラフィカルユーザインターフェースを含み得る。
【００７２】
ネットワークインターフェース９５０は、他のハードウェアデバイスとの通信を可能にするための１つ以上のデバイスを含み得る。例えば、ネットワークインターフェース９５０には、イーサネット（登録商標）プロトコルにしたがって通信するように構成されるネットワークインターフェースカード（ＮＩＣ）が含まれ得る。さらに、ネットワークインターフェース９５０は、ＴＣＰ／ＩＰプロトコルにしたがって通信するためにＴＣＰ／ＩＰスタックを実装し得る。ネットワークインターフェース９５０のためのさまざまな代替または追加のハードウェア若しくは構成は明らかである。
【００７３】
ストレージ９６０は、リードオンリーメモリ（ＲＯＭ）、ランダムアクセスメモリ（ＲＡＭ）、磁気ディスク記憶媒体、光記憶媒体、フラッシュメモリデバイス、または類似する記憶媒体等の１つ以上の機械可読記憶媒体を含み得る。さまざまな実施形態では、ストレージ９６０は、プロセッサ９２０によって実行されるインストラクションまたはプロセッサ９２０が処理するデータを記憶し得る。例えば、ストレージ９６０には、リナックス（登録商標）、マイクロソフト（登録商標）ウィンドウズ（登録商標）ＯＳ、アップル（登録商標）ＯＳＸ（登録商標）、アップル（登録商標）ｉＯＳ（登録商標）、またはグーグル（登録商標）アンドロイド（登録商標）ＯＳ等のベースオペレーティングシステム（ＯＳ）９６１を記憶し得る。ストレージ９６０には、１つ以上の格納ケースと通信するためのアプリケーション９６２を決定するためのインストラクションをも含む。格納ケースアプリケーション９６２の一部として、ストレージ９６０は、格納ケースとオーディオまたはビデオデータを通信するためのＶＯＩＰインストラクション９６３、および、ハードウェア９００のユーザのコマンドで、格納ケースから薬剤を放出するように命令する放出インストラクション９６４を記憶し得る。
【００７４】
ストレージ９６０に記憶されているとして記載されたさまざまな情報が、追加的にまたは代替的にメモリ９３０に記憶されてもよいことは明らかである。例えば、オペレーティングシステム９６１とウォールユニットアプリケーション９６２は、プロセッサ９２０で実行するために、少なくとも部分的にメモリ９３０にコピーされてもよい。この点において、メモリ９３０は「ストレージデバイス」として構成されるとみなされてもよく、ストレージ９６０は「メモリ」としてみなされてもよい。さまざまな他の配置が明らかである。さらに、メモリ９３０とストレージ９６０の両方が「非一時的機械可読媒体」としてみなされてもよい。本明細書で使用する場合に、用語「非一時的」は、一時的な信号を除きすべての形態のストレージを含み、揮発性および不揮発性メモリの両方を含むことが理解されよう。
【００７５】
図示されたハードウェアはそれぞれ記載されたコンポーネントの１つを含んでいるが、さまざまな実施形態ではさまざまなコンポーネントが重複し得る。例えば、プロセッサ９２０は複数のマイクロプロセッサであり得て、本明細書に記載の方法を独立して実行するように構成され、または、本明細書に記載の方法のステップまたはサブルーチンを実行するように構成され、複数のプロセッサは本明細書に記載の機能を達成するように協力する。
【００７６】
記載されてきた医師のデバイスのための例示ハードウェアおよび機能、医師のデバイスのための例示ユーザインターフェース並びに関連する機能が、図１０〜図２０を参照して説明される。理解されるように、さまざまなインターフェースが格納ケースアプリケーション９６２によって生成され得て、ユーザインターフェース９４０を介して表示され得る。さまざまな変形形態が明らかである。
【００７７】
図１０は、医師ユーザを認証するための例示ユーザインターフェース１０００を図示する。図示されたように、インターフェースは、ユーザネームおよびパスワードをそれぞれ受け取るためのフィールド１０１０、１０２０を含む。フィールド１０１０、１０２０のいずれか１つを選択すると、ユーザは英数字値を入力するためのインターフェースが提供され得て、例えば、それはオペレーティングシステムによって提供されるソフトキーボードインターフェースである。インターフェースには、ユーザネームおよびパスワードを入力するように構成されるログインボタン１０３０も含まれる。ログインボタン１０３０を選択すると、入力された認証情報は、当該認証情報とローカルに記憶された認証情報とを比較して、または、当該認証情報を例えば、制御センターデバイス等の認証のための別のサーバに送信することによって有効化し得る。ユーザが認証されたことを指示または決定されたことを受信すると、当該アプリケーションはホームスクリーンに進む。
【００７８】
図１１は、ホームスクリーンを示すための例示ユーザインターフェース１１００を図示する。ホームスクリーンインターフェース１１００には、ホームスクリーンにアクセスするためのホームボタン１１１０（すでに選択されたものとして表示されている）、コールログにアクセスするためのコールログボタン１１２０、および、設定メニューにアクセスするための設定ボタン１１３０を含むナビゲーションバーが表示され得る。ホームスクリーンインターフェース１１００（および、潜在的な可能性として、ログイン後の他のインターフェース）が表示されている間は、アプリケーションは入力されるコールを待ち受けし得る。特に、制御センターまたは薬剤格納ケースは、医師デバイスへのリクエストを通信セッションを確立するために送信し得る。
【００７９】
図１２は、入力通信リクエストの指示を表示するための例示ユーザインターフェース１２００を図示する。医師デバイスが入力されたリクエストを受信すると、例えば、制御センターデバイスまたは薬剤格納ケースからの通信セッションを確立するために、入力されたリクエストインターフェース１２００が表示され得る。入力されるリクエストインターフェース１２００は、入力されるリクエストに対応する薬剤格納ケースの指示情報１２１０を含む。ユーザにも２つのボタンが用意され、それらは入力されるリクエストを承認するための回答ボタン１２２０と、入力されるリクエストを否定する否定ボタン１２３０である。否定ボタン１２３０を選択すると、アプリケーションはホームスクリーンに戻り、または、入力されるリクエストを受信される前に表示されていた別のスクリーンに戻り得る。回答ボタン１２２０を選択すると、アプリケーションは、アクティブ通信セッションスクリーンを表示し得る。
【００８０】
図１３は、通信セッションの間に表示するための例示ユーザインターフェース１３００を図示する。アクティブセッションインターフェース１３００が表示されている間は、アプリケーションは、デバイスハードウェアを介して少なくともオーディオ通信セッションを提供し得る。つまり、ユーザは、ＶＯＩＰセッションで呼び出した薬剤格納ケースと、スピーカおよび医師デバイスのマイクロフォンによって通信することが可能になる。アクティブセッションインターフェース１３００は、複数のボタンを含むメニュー１３１０を含む。より詳細には以下に説明されるように、メニュー１３１０は、ビデオストリームをトグリングする、マイクロフォンをミューティングする、コールを保持する、テキストメッセージインターフェースにアクセスする、および、分配インターフェースにアクセスするためのボタンを含み得る。アクティブセッションインターフェース１３００は、さらに終了コールボタン１３２０を含み、アクティブセッションを終了し、ホームスクリーンに戻り、または、入力されるリクエストが受信される前に表示されていた別のスクリーンに戻る。
【００８１】
図１４は、患者のビデオを表示し、テストメッセージを送信するための例示ユーザインターフェース１４００を図示する。図示されたように、メニュー１３１０のビデオボタンが選択されると、続いて、ビデオストリーム１４１０が表示される。ビデオストリーム１４１０は接続された薬剤格納ケースまたは制御センターデバイスから受信され得る。例えば、ビデオボタンを押下すると、アプリケーションは接続された格納ケースからすでに送信されていたビデオデータを表示し始め、または、当該ビデオデータを送信するためにインストラクションを格納ケースに送信し得る。さらに図示するように、メニュー１３１０のホールドボタンが図示されるように選択されると、通信が保持され、ホールドが解除されるまで他の通信が送受信されない。
【００８２】
メニュー１３１０はさらにテキストメッセージボタンが選択されると、テキストメッセージインターフェースエレメント１４２０、１４３０が図示されることを示す。図示されたように、インターフェース１４００は、入力されたテキストメッセージを受信するためのテキスト領域１４２０を含む。テキスト領域１４２０を選択すると、ユーザには例えば、ＯＳソフトキーボード等でテキストを入力するためのインターフェースエレメントが表示され得る。インターフェース１４００は送信ボタン１４３０も含む。送信ボタン１４３０を選択すると、アプリケーションはテキストメッセージを呼び出し中の格納ケースに送信し、テキストメッセージを受信すると、例えば、ＬＣＤスクリーンによってメッセージを患者に表示し得る。
【００８３】
図１５は、患者ビデオを表示するための代替ユーザインターフェース１５００を図示する。例えば、ビデオフィードが活性化されて医師が電話を９０度回転させると、代替ユーザインターフェース１５００が表示され得る。アプリケーションはオペレーティングシステムにアクセスし得て、医師デバイスの現在の方向を決定し、当該デバイスがおおよそ横方向に保持されると、代替インターフェース１５００にスイッチする。図示されたように、代替インターフェースはビデオストリームをフルスクリーン１５１０で表示する。さまざまな代替配置が可能で有ることは明らかである。例えば、メニュー１３１０に類似するメニューがビデオ領域１５１０に表示され得る。アプリケーションは、医師デバイスがおおよそ縦方向に回転し戻されると、直前のインターフェースである、インターフェース１４００に戻り得る。
【００８４】
図１６は、薬剤を患者に分配するための分配ボタンを表示するための例示ユーザインターフェース１６００を図示する。図示されたように、メニュー１３１０は分配ボタンが選択されたことを示す。その結果、複数の分配インターフェースエレメント１６１０、１６２０、１６３０がインターフェース１６００の一部として表示される。インターフェース１６００は、接続された薬剤格納ケースから分配するための入手可能な薬剤に対応する２つの分配ボタン１６１０、１６２０を含む。さまざまな実施形態ではより少ないまたは追加のボタンがあってもよい。いくつかの実施形態では、接続されたストレージケースは、入手可能な薬剤だけではなく有効期限等の他の情報を特定する情報を医師デバイスに送信し得る。次にインターフェース１６００は対応するボタン１６１０、１６２０を表示し得る。図示しないが、いくつかの代替実施形態では、インターフェース１６００は医師の署名を受信するためのフィールドを追加で含み得る。例えば、いくつかの状態ではいずれかの処方のために医師の署名が必要な規則が存在し得る。署名の入力または分配ボタンが押下されると、医師デバイスは、署名の画像、テキスト、または他の表示方法を記憶し、または、制御センターに送信する。
【００８５】
図示されたように、インターフェース１６００は、接続された格納ケースから分配するための入手可能な２つの薬剤を特定する。第１のボタン１６１０は、有効期限が２０１５年１２月２０日の「Ｊｒ．Ｅｐｉｐｅｎ」薬剤が入手可能であることを示している。第２のボタン１６２０は、有効期限が２０１５年２月１５日である「Ｓｒ．Ｅｐｉｐｅｎ」薬剤が入手可能でることを示している。ボタン１６１０、１６２０のいずれかを選択すると、医師デバイスはインストラクションを接続された格納ケースに送信し、対応する薬剤を分配する。例えば、接続された格納ケースは、入手可能な薬剤とともに、各薬剤のインデックスまたは他の指示情報を送信し得る。次に、ボタンを選択すると、アプリケーションは、選択された薬剤に対応する指示情報を含むインストラクションを送信し得る。インターフェース１６００は分配エレメント１６１０、１６２０、１６３０を含まない直前のインターフェースに戻るキャンセルボタン１６３０も含む。
【００８６】
図１７は、薬剤を患者に分配するための分配ボタンを表示するための代替ユーザインターフェース１７００を図示する。いくつかの実装形態では、ボタン１７２０は対応する薬剤が入手できない場合には選択が不可能であることを表示し得る。図示されたように、接続された格納ケースはボタン１７２０が選択不可であることを表示することで、「Ｓｒ  Ｅｐｉｐｅｎ」薬剤を分配することができない。アプリケーションは薬剤が入手できないことを決定し得る、例えば、アプリケーションによって薬剤が入手可能であると想定されるが接続された格納ケースから入手可能であると報告されていない場合、または格納ケースが明確に薬剤が入手できないと報告する場合がある。さまざまな代替実施形態では、インターフェース１７００は、入手できない薬剤のためのすべてのボタンを表示することを単純に省略し得る。
【００８７】
図１８は、以前の通信セッションのログを表示するための例示ユーザインターフェース１８００を図示する。コール履歴インターフェース１８００は、ナビゲーションメニューのコール履歴ボタン１１２０を選択することによってアクセス可能になり得る。図示されたように、コール履歴インターフェースは、すべての以前の入力リクエストまたは、代替的に、すべての許可された入力リクエストを特定する複数の入力１８１０、１８２０、１８３０、１８４０を表示する。入力１８１０、１８２０、１８３０、１８４０を選択すると、アプリケーションはコールのための追加情報を表示または入力するためにインターフェースを表示し得る。
【００８８】
図１９は、通信セッションに関する医師の注記を受信するための例示ユーザインターフェース１９００を図示する。注記インターフェース１９００は、コール履歴インターフェース１８００から入力１８１０、１８２０、１８３０、１８４０を選択することによってアクセス可能になり得る。図示されたように、インターフェース１９００は、コールの詳細情報１９１０および医師注記を受信するテキストフィールド１９２０を含む。選択すると、テキストフィールド１９２０は、医師にテキストを入力するための例えば、ＯＳソフトキーボード等のインターフェースエレメントを提供し得る。インターフェース１９００は追加で、テキストフィールド１９２０のテキストをコール記録を記憶するためのストレージがあるコマンドセンターデバイスに送信するための送信ボタン１９３０を含む。キャンセルボタン１９４０が選択されると、アプリケーションは、例えば、コール履歴インターフェース１８００等の直前のスクリーンに戻る。図示しないが、いくつかの代替実施形態では、インターフェース１６００は、医師の署名を受信するためのフィールドを追加または代替的に含み得る。例えば、いくつかの状態では、いずれかの処方のために医師の署名が必要な規則が存在し得る。署名を入力または送信ボタン１９３０を押下すると、医師デバイスは、署名の画像、テキスト、または他の表示方法を記憶し、または、制御センターに送信する。
【００８９】
図２０は、薬剤格納ケースと通信するための例示方法２０００を図示する。方法２０００は医師デバイス９００等の医師デバイスのコンポーネントによって実行され得る。当該方法はステップ２００５から始まり、ステップ２０１０に進み、デバイスが入力されたリクエストを受信し、通信セッションを確立する。この受信されたリクエストに基づき、ステップ２０１５においてデバイスが入力されたリクエストの指示情報を例えばインターフェース１２００に表示する。ステップ２０２０において、デバイスは医師ユーザがリクエストを許可したかを決定する。許可しない場合には、ステップ２０２５においてデバイスは不許可メッセージを制御センターまたは薬剤格納ケースに送信する。制御センターまたは薬剤格納ケースは、引き続き別の医師デバイスに接続を試みるためにリクエストを送信し、通信セッションを確立しようとする。当該方法はステップ２０５５において終了する。
【００９０】
しかしながら、ステップ２０２０において医師が入力されたリクエストを許可する場合には、当該方法はステップ２０３０に進み、デバイスは双方向通信セッションを薬剤分配器と確立する。次に、ステップ２０３５において、デバイスは１つ以上の分配ボタンを表示する。例えば、上述したようにユーザリクエストに対してボタンを表示する。次にステップ２０４０においてデバイスは医師が分配ボタンを押下したか否かを決定する。押下しない場合には、当該方法はステップ２０５０にスキップする。医師が分配ボタンを押下する場合には、ステップ２０４５において、デバイスは、対応する薬剤をユーザに分配するためのインストラクションを送信する。ステップ２０５０において、デバイスは、例えば、ローカルユーザまたは遠隔薬剤分配器のユーザによって、セッションが終了されたか否かを決定する。終了されていない場合には、当該方法はステップ２０４０にループバックし、医師の分配ボタンの選択のチェックを継続する。または、当該方法はステップ２０５５において終了する。
【００９１】
本明細書に記載されている医師デバイスのための追加の機能という観点から、上述の方法に対するさまざまな変形形態が明らかである。例えば、方法２０００は、入手可能な薬剤を記載する入力データを解釈する工程、コールのホールドのミューティングまたは保持工程、テキストメッセージ送信工程、および、ビデオストリームの表示工程に対して追加のステップを含むことが可能で有る。さまざまな追加の変形形態が明らかである。
【００９２】
前述の記載によれば、さまざまな例示実施形態によって、医師は遠隔位置にある薬剤に迅速にアクセスし、処方することが可能になる。例えば、オーディオまたはビデオ通信セッション確立でき、分配インストラクションを遠隔薬剤分配器に送信できる医師デバイスアプリケーションを提供することによって、有能な人材が緊急事態を理解し、事態を処理するために必要または役に立つ薬剤の効果的な提供が十分に可能になる。前述の記載からさまざまな他の有利な効果が明らかである。
【００９３】
前述の記載から本発明のさまざまな例示実施形態がハードウェアおよび／またはファームウェアに実装可能であることが明らかである。さらに、さまざまな例示実施形態が機械可読記憶媒体に記録されるインストラクションとして実装可能であり、本明細書に詳細に記載された動作を実行するために少なくとも１つのプロセッサによって読み出され実行可能である。機械読み出し可能記憶媒体は、パーソナルまたはラップトップコンピュータ、サーバ、または他のコンピューティングデバイス等の機械によって読み出し可能な形態で情報を記憶するためのいずれかのメカニズムを含み得る。したがって、機械読み出し可能記憶媒体は、リードオンリーメモリ（ＲＯＭ）、ランダムアクセスメモリ（ＲＡＭ）、磁気ディスク記憶媒体、光記憶媒体、フラッシュメモリデバイス、および類似する記憶媒体を含み得る。
【００９４】
当業者であれば、本明細書に記載されているいずれかのブロック図は、本発明の原理を実現するために観念的に図示されたことを理解するであろう。同様に、いずれかのフローチャート、流れ図、状態遷移図、疑似コード等がさまざまなプロセスをあらわすことを理解するであろうし、さまざまなプロセスは実質的に機械可読媒体の中で表現され得て、コンピュータまたはプロセッサが明確に示されているか否かにかかわらず、当該コンピュータまたはプロセッサによって実行される。
【００９５】
さまざまな例示実施形態がその特定の例示形態を特別に参照して記載されたが、本発明は他の実施形態が可能で有り、その詳細はさまざまな明白な観点において変形形態が可能で有ることが理解されよう。当業者には明らかであるが、本発明の精神および範囲内において多様な形態および変形形態が可能で有る。したがって、上述した開示、記載、および図面は参照のためだけに用いられ、どのような方法であっても本発明を限定するものではなく、特許請求の範囲によってのみ定義される。
【図１】
2018504951.tif 000003
【図２】
2018504951.tif 000004
【図３】
2018504951.tif 000005
【図４】
2018504951.tif 000006
【図５】
2018504951.tif 000007
【図６】
2018504951.tif 000008
【図７】
2018504951.tif 000009
【図８】
2018504951.tif 000010
【図９】
2018504951.tif 000011
【図１０】
2018504951.tif 000012
【図１１】
2018504951.tif 000013
【図１２】
2018504951.tif 000014
【図１３】
2018504951.tif 000015
【図１４】
2018504951.tif 000016
【図１５】
2018504951.tif 000017
【図１６】
2018504951.tif 000018
【図１７】
2018504951.tif 000019
【図１８】
2018504951.tif 000020
【図１９】
2018504951.tif 000021
【図２０】
2018504951.tif 000022
【国際調査報告】
2018504951.tif 000023
2018504951.tif 000024